(57)【要約】【課題】通常はウエストバッグとして使用することができ、必要に応じてウエストバッグよりも容量の大きいリュックサックとして使用することができるリュックサック付ウエストバッグを提供することを課題とする。【解決手段】ウエストバッグ部２０は、ウエストバッグ本体２１と、このウエストバッグ本体２１の裏面部材２１ａと同一の形状の第２の裏面部材２１ｂとによって構成されている。裏面部材２１ａの周縁部と裏面部材２１ｂの周縁部とには、オープンファスナーを構成する１対のテープ２３，２４のそれぞれが、全周に亘って配設されている。このウエストバッグ本体２１の裏面部材２１ａは、リュックサック部１０の表面部材１１の下側部分の構成部材となっており、腰固定用ベルト２２が配設されている第２の裏面部材はリュックサック部１０の背当て部材の下側部分の構成材料となっている。【選択図】  図２
0003107823.tif 000002
【実用新案登録請求の範囲】
【請求項１】
ウエストバッグ本体の裏面側に配設されている第１の裏面部材と、該第１の裏面部材と
同一の形状の第２の裏面部材であって腰固定用ベルトが配設されている第２の裏面部材と
を有し、前記第１の裏面部材の周縁部と前記第２の裏面部材の周縁部とには、その全周に
亘ってオープンファスナーを構成する１対のテープのそれぞれが配設され、当該オープン
ファスナーにより前記ウエストバッグ本体に前記第２の裏面部材が着脱自在に配設されて
いるウエストバッグ部と、
背当て部材と表面部材と周面部材とからなり、前記背当て部材の上部に一端が固定され
他端が前記周面部材の下部に固定されている１対の肩掛ベルトを有するリュックサック部
とによって構成され、
前記ウエストバッグ部の前記第２の裏面部材が前記背当て部材の下側部分の構成部材と
なるように前記第２の裏面部材の周縁部が全周に亘って前記リュックサック部に縫合され
、前記ウエストバッグ部の前記第１の裏面部材が前記表面部材の下側部分の構成部材とな
るように前記第１の裏面部材の周縁部が全周に亘って前記リュックサック部に縫合されて
いることを特徴とするリュックサック付ウエストバッグ。
【請求項２】
前記オープンファスナーを構成する１対のテープの一方は、その務歯が外側に突出する
ように前記第１の裏面部材と前記リュックサック部との縫合部分に配設され、他方はその
務歯が外側に突出するように前記第２の裏面部材と前記リュックサック部との縫合部分に
配設されていることを特徴とする請求項１に記載のリュックサック付ウエストバッグ。
【請求項３】
前記肩掛ベルトはメッシュ状の素材によって構成されていることを特徴とする請求項１
または２に記載のリュックサック付ウエストバッグ。
【考案の詳細な説明】
【技術分野】
【０００１】
本考案は、荷物が多いときにはその荷物を収納することができるリュックサック部を具
えたリュックサック付ウエストバッグに関するものである。
【背景技術】
【０００２】
小さな品物を収納した状態で腰部に固定することができる図８に示したようなウエスト
バッグＷは手足を束縛しないため、このようなウエストバッグＷを使用した場合には自由
に身動きをすることができる。
【０００３】
このため、ウエストバッグＷは、持ち物が少ない外出時等に広く利用されている。
【考案の開示】
【考案が解決しようとする課題】
【０００４】
しかしながら、このようなウエストバッグＷには、身動きの自由が確保されなければな
らないという使用条件があるために、その容量をあまり大きくすることができないという
問題点があった。
【０００５】
すなわち、荷物が大きい場合や荷物が多い場合には、その荷物を、図８に示したように
他のバッグＢ等に収納して持ち運ぶ必要があった。従って、外出時には持ち物が少なくて
ウエストバッグＷのみを着用して出掛けた場合、外出の途中で買物などをして大きな荷物
を運ぶ必要が生じたときには、ウエストバッグＷの他に、その大きな荷物を収納したバッ
グＢや紙袋等を持ち運ばねばならなかった。
【課題を解決するための手段】
【０００６】
以上の問題点を解決するために本考案は、ウエストバッグ本体の裏面側に配設されてい
る第１の裏面部材と、該第１の裏面部材と同一の形状の第２の裏面部材であって腰固定用
ベルトが配設されている第２の裏面部材とを有し、前記第１の裏面部材の周縁部と前記第
２の裏面部材の周縁部とには、その全周に亘ってオープンファスナーを構成する１対のテ
ープのそれぞれが配設され、当該オープンファスナーにより前記ウエストバッグ本体に前
記第２の裏面部材が着脱自在に配設されているウエストバッグ部と、
【０００７】
背当て部材と表面部材と周面部材とからなり、前記背当て部材の上部に一端が固定され
他端が前記周面部材の下部に固定されている１対の肩掛ベルトを有するリュックサック部
とによって構成され、
【０００８】
前記ウエストバッグ部の前記第２の裏面部材が前記背当て部材の下側部分の構成部材と
なるように前記第２の裏面部材の周縁部が全周に亘って前記リュックサック部に縫合され
、前記ウエストバッグ部の前記第１の裏面部材が前記表面部材の下側部分の構成部材とな
るように前記第１の裏面部材の周縁部が全周に亘って前記リュックサック部に縫合されて
いることを特徴とするものである。
【０００９】
ここで、前記オープンファスナーを構成する１対のテープの一方は、その務歯が外側に
突出するように前記第１の裏面部材と前記リュックサック部との縫合部分に配設され、他
方はその務歯が外側に突出するように前記第２の裏面部材と前記リュックサック部との縫
合部分に配設してもよい。さらに、前記肩掛ベルトはメッシュ状の素材によって構成して
もよい。
【考案の効果】
【００１０】
本考案によれば、通常はウエストバッグとして使用することができ、必要に応じてウエ
ストバッグよりも容量の大きいリュックサックとして使用することができるリュックサッ
ク付ウエストバッグを提供することができる。
【考案を実施するための最良の形態】
【００１１】
以下、図面を用いて本考案の実施例について説明する。
【実施例１】
【００１２】
図１は、本考案の実施例１の構成を示す斜視図であり、図１（ａ）は表面側から視た斜
視図、図１（ｂ）は裏面側から視た斜視図である。また図２は、図１に示した本実施例１
の分解斜視図である。
【００１３】
図２に示したように、本実施例１は、リュックサック部１０とウエストバッグ部２０と
によって構成されている。
【００１４】
リュックサック部１０は、図１（ａ），（ｂ）に示したように、表面部材１１と背当て
部材１２と周面部材１３とによって構成されており、背当て部材１２の上部には１対の肩
掛ベルト１４の一端が固定されている。この肩掛ベルト１４の他端は周面部材１３の下部
に固定されている。また周面部材１３には開閉自在なファスナー１５が配設されている。
【００１５】
ウエストバッグ部２０は、図２に示したように、ウエストバッグ本体２１と、このウエ
ストバッグ本体２１の裏面側の構成部材である第１の裏面部材２１ａと同一の形状の第２
の裏面部材２１ｂとによって構成されており、第２の裏面部材２１ｂには腰固定用ベルト
２２が配設されている。第１の裏面部材２１ａの周縁部と第２の裏面部材２１ｂの周縁部
とには、着脱自在なオープンファスナーを構成する１対のテープ２３，２４のそれぞれが
、その全周に亘って配設されている。２３ａ，２４ａはオープンファスナーの務歯であり
、２３ｂはオープンファスナーのスライダーである。
【００１６】
このように本実施例１においては、オープンファスナーによって、第２の裏面部材２１
ｂが、ウエストバッグ本体２１に対して着脱自在となるように構成されている。また、ウ
エストバッグ本体２１には、開閉自在なファスナー２５，２６が配設されている。
【００１７】
ウエストバッグ本体２１の第１の裏面部材２１ａは、リュックサック部１０の表面部材
１１の下側部分の構成部材となるように、その周縁部が全周に亘ってリュックサック部１
０に縫合されている。またウエストバッグ部２０の第２の裏面部材２１ｂは、図１（ｂ）
に示したように、リュックサック部１０の背当て部材１２の下側部分の構成部材となるよ
うに、その周縁部が全周に亘ってリュックサック部１０に縫合されている。
【００１８】
ここでオープンファスナーを構成する１対のテープ２３，２４は、図１（ａ），（ｂ）
に示したように、その務歯２３ａ，２４ａがリュックサック部１０の外側に突出するよう
な状態で裏面部材２１ａ，２１ｂの周縁部、すなわち裏面部材２１ａ，２１ｂとリュック
サック部１０との縫合部分に配設されている。
【００１９】
以上のように構成された本実施例１においては、通常のウエストバッグとして使用する
場合には、図３（ａ）に示したように、リュックサック部１０を畳んで、ウエストバッグ
本体２１と第２の裏面部材２１ｂとの間に位置させ、図３（ｂ）に示したようにオープン
ファスナーのテープ２４の端部の金具をスライダー２３ｂに係合させた後、このスライダ
ー２３ｂを用いて図４（ａ），（ｂ）に示すようにオープンファスナーを閉じる。
【００２０】
このようにしてウエストバッグの形態となった本実施例１を図５（ａ），（ｂ）に示す
。ここで図５（ａ）は表面側から視た斜視図であり、図５（ｂ）は裏面側から視た斜視図
である。
【００２１】
このように本実施例１をウエストバッグとして使用する場合には、使用者はファスナー
２５，２６を開いてウエストバッグ本体２１内に品物を収納した後、ファスナー２５，２
６を閉じ、図６に示したように腰固定用ベルト２２を用いてウエストバッグ本体２１を腰
部に装着する。
【００２２】
ここで、大きな品物を収納する必要が生じた場合には、使用者は、図４（ｂ）に示した
ように閉じた状態になっているオープンファスナーをスライダー２３ｂを用いて開き、ウ
エストバッグ本体２１から裏面部材２１ｂを離隔させ、図３（ａ）に示したようにリュッ
クサック部１０を露出させて、この容量の大きいリュックサック部１０にその品物を収納
することができ、図７に示したようにリュックサック部１０を背負ってこの品物を運搬す
ることができる。
【００２３】
なお、本実施例１においては、図１で示したリュックサック部１０の肩掛ベルト１４を
メッシュ状の素材で形成することによって、このリュックサック部１０を畳んだ状態で嵩
張らないように構成してある。従って、図５（ａ），（ｂ）に示したようにウエストバッ
グの形態にしたときに、裏面部材２１ｂとウエストバッグ本体２１との間に収納されてい
るリュックサック部はクッションとして機能する。
【図面の簡単な説明】
【００２４】
【図１】本考案の実施例１の構成を示す斜視図である。
【図２】本考案の実施例１を構成を示す分解斜視図である。
【図３】本考案の実施例１の使用方法の説明図である。
【図４】本考案の実施例１の使用方法の説明図である。
【図５】本考案の実施例１の使用方法の説明図である。
【図６】本考案の実施例１の使用方法の説明図である。
【図７】本考案の実施例１の使用方法の説明図である。
【図８】従来のウエストバッグの説明図である。
【符号の説明】
【００２５】
１０  リュックサック部
１１  表面部材
１２  背当て部材
１３  周面部材
１４  肩掛ベルト
１５，２５，２６  ファスナー
２０  ウエストバッグ部
２１  ウエストバッグ本体
２１ａ，２１ｂ  裏面部材
２２  腰固定用ベルト
２３，２４  オープンファスナーのテープ
２３ａ，２４ａ  務歯
２３ｂ  スライダー
Ｂ  バッグ
Ｗ  ウエストバッグ
【図１】
0003107823.tif 000003
【図２】
0003107823.tif 000004
【図３】
0003107823.tif 000005
【図４】
0003107823.tif 000006
【図５】
0003107823.tif 000007
【図６】
0003107823.tif 000008
【図７】
0003107823.tif 000009
【図８】
0003107823.tif 000010